(57)【要約】【課題】ヘルメットのサイズ調整が実現され、部品が少ないため構造が簡単な距離調節装置及びその頭マッサージ器を提供する。【解決手段】頭マッサージ器はヘルメット及びマッサージ装置が設けられており、ヘルメットは、第一縦向き筐体、第二縦向き筐体、第一横向き筐体、第二横向き筐体及び三距離調節装置が設けられており、各距離調節装置は、台座、トランスミッションギア、調節ツマミ、端蓋及びリセットバネが設けられおり、マッサージ装置はマッサージ板、マッサージガスバッグ、ガスポンプ、電気バルブ及び電子回路制御用の制御装置が設けられており、距離調節部品の設置によって、筐体の相対距離を遠くなったり、近くなったりするようにする。【選択図】図１
2008126058.tif 000002
【特許請求の範囲】
【請求項１】
台座、トランスミッションギア、調節ツマミ、端蓋及びリセットバネが設けられており、前記該トランスミッションギアは、台座に設けられ、自身の回転軸線を回ることができるが、前記調節ツマミは、自身の回転軸線を回る自由度、及びその回転軸線に沿って並進する自由度を有しており、前記調節ツマミは第一リングギアと第二リングギアがあり、前記端蓋は第三リングギアがあり、前記第一リングギアとトランスミッションギアのストレートベベルギアと噛み合って、前記第二リングギアと端蓋の第三リングギアストレートベベルギアと噛み合っており、前記端蓋は台座に設けられおり、前記リセットバネは、前記調節ツマミにつながり、調節ツマミの回転軸線方向で、調節ツマミをリセットすることを特徴とする距離調整装置。
【請求項２】
前記台座は組立柱があり、トランスミッションギアはその回転軸線方向に沿い、組立孔を通っており、前記組立柱は前記組立孔に入り、前記リセットバネは、前記組立孔に入れられ、前記組立柱に嵌めるようになることを特徴とする請求項１に記載の距離調整装置。
【請求項３】
前記組立孔は階段面があり、前記リセットバネの両側は、それぞれ前記階段面と前記調節ツマミに突っ張ることを特徴とする請求項２に記載の距離調整装置。
【請求項４】
前記調節ツマミは、内周壁と外周壁が設けられており、前記第一リングギアは前記内周壁の内リングギアに、前記第二リングギアは前記外周壁の外リングギアに設けられており、前記端蓋は貫通孔があり、第三リングギアは前記貫通孔の孔壁に設けられていることを特徴とする請求項１〜３のいずれかに記載の距離調整装置。
【請求項５】
前記調節ツマミは更に突起があり、前記凸起は、調節ツマミの回転軸線方向に、端蓋の貫通孔より突出することを特徴とする請求項４のいずれかに記載の距離調整装置。
【請求項６】
ヘルメットとマッサージ装置が設けられており、ヘルメットは第一縦向き筐体、第二縦向き筐体、第一横向き筐体、第二横向き筐体、縦向きに設けられた二距離調節装置及び横向きに設けられた一距離調節装置が設けられており、前記横向き筐体は、前記縦向き筐体に設けられており、各距離調節装置は、台座、トランスミッションギア、調節ツマミ、端蓋及びリセットバネが設けられており、前記トランスミッションギアは、台座に設けられ、自身の回転軸線を回ることができるが、前記調節ツマミは、自身の回転軸線を回る自由度、及びその回転軸線に沿って並進する自由度を有しており、前記調節ツマミは第一リングギアと第二リングギアがあり、前記端蓋は第三リングギアがあり、前記第一リングギアとトランスミッションギアのストレートベベルギアと噛み合って、前記第二リングギアと端蓋の第三リングギアストレートベベルギアと噛み合っており、前記端蓋は台座に設けられおり、前記リセットバネは、前記調節ツマミにつながり、調節ツマミの回転軸線方向で、調節ツマミをリセットし、第一、第二縦向き筐体の両側は、いずれも縦向きギアラックがあり、前記縦向きギアラックは、いずれも対応する距離調節装置のトランスミッションギアと噛み合っており、第一、第二横向き筐体の片側は、対応する距離調節装置の台座又は端蓋に固定され、他方側はいずれも横向きギアラックを持っており、各横向きギアラックは対応する距離調節装置のトランスミッションギアと噛み合うことを特徴とする頭マッサージ器。
【請求項７】
前記第一、第二縦向き筐体の両側には、いずれも縦向き調節槽が設けられており、縦向きギアラックは、縦向き調節槽の縦向きに沿い伸びた槽壁に形成され、第一、第二横向き筐体の片側に横向き調節槽があり、横向きギアラックは、前記横向き調節槽の横向きに沿い伸びた槽壁に形成されることを特徴とする請求項６に記載の頭マッサージ器。
【請求項８】
前記台座に組立柱があり、トランスミッションギアはその回転軸線方向に沿い、組立孔を通っており、前記組立柱は前記組立孔に入り、前記組立孔は階段面があり、前記リセットバネは、前記組立孔に入れられ、そして、前記リセットバネの両側は、それぞれ前記階段面と前記調節ツマミに突っ張ることを特徴とする請求項７に記載の頭マッサージ器。
【請求項９】
前記各距離調節装置の端蓋と台座との間に、対応する筐体がそれぞれ両側から入るようと供するための二開き口が形成されることを特徴とする請求項６に記載の頭マッサージ器。
【請求項１０】
前記調節ツマミは、内周壁と外周壁が設けられており、前記第一リングギアは前記内周壁の内リングギアに、前記第二リングギアは前記外周壁の外リングギアに設けられており、前記端蓋は貫通孔があり、第三リングギアは前記貫通孔の孔壁に設けられていることを特徴とする請求項６〜９のいずれかに記載の頭マッサージ器。
【請求項１１】
マッサージ装置は、マッサージ板、マッサージガスバッグ、ガスポンプ、電気バルブ及び電子回路制御用の制御装置が設けられており、マッサージガスバッグとガスポンプと電気バルブが接続し、前記ガスポンプと電気バルブと電子回路制御が接続している。前記縦向き筐体、横向き筐体の内表面は、何れも最低は一マッサージ板があり、前記マッサージ板の縁は、ヘルメットの内表面に固定され、前記マッサージ板の変形可能な中間部、及びヘルメットの内表面との間に一収納キャビィティが形成され、マッサージガスバッグは前記収納キャビィティ内に設けられることを特徴とする請求項６に記載の頭マッサージ器。
【請求項１２】
前記マッサージ板の表面には、電子制御回路に接続する発熱体が付着されることを特徴とする請求項１１に記載の頭マッサージ器。
【請求項１３】
前記マッサージ板は更に入れ槽があり、前記入れ槽内に振動モータが固定され、前記振動モータのモータシャフト上の偏心に振動ブロックが設けられることを特徴とする請求項１１に記載の頭マッサージ器。
【請求項１４】
前記マッサージ板は、基板及び前記基板に突出したマッサージコンタクトヘッドからなるものであり、前記基板の縁は、ヘルメットの内表面に固定され、その中間部は変形可能であることを特徴とする請求項１１に記載の頭マッサージ器。
【請求項１５】
前記制御装置は、ヘルメットから分離して設けられた制御ボックスがあり、ガスポンプと電気バルブは、何れも前記制御ボックス内に設けられることを特徴とする請求項１１に記載の頭マッサージ器。
【発明の詳細な説明】
【技術分野】
【０００１】
本発明は、健康マッサージ器にかかわり、特に距離調節装置及びその頭マッサージ器に関わることである。
【背景技術】
【０００２】
従来の頭マッサージ器はヘルメットがあり、使用の時、前記ヘルメットを頭にかぶり、前記ヘルメット上にあるマッサージ装置により、頭にマッサージを行うようになっているが、前記マッサージ器は次のような欠点がある。前記ヘルメットの頭円周の大きさが固定されており、ユーザにより、大きい場合もあり、小さい場合もあるので、ユーザにとってかぶり心地がよくない。また、従来のマッサージ装置は構造が複雑で、マッサージの仕方が単調である。
【発明の開示】
【発明が解決しようとする課題】
【０００３】
本発明が解決しようとする課題は、従来の技術の不十分さを克服して、大きさが調節可能な頭マッサージ器及び距離調節装置を、それに構造が簡単で、マッサージ法が多様なマッサージ装置を提供すること。
【課題を解決するための手段】
【０００４】
本発明の課題を解決するための手段とされる前記距離調節装置は、台座、トランスミッションギア、調節ツマミ、端蓋及びリセットバネが設けられており、前記トランスミッションギアは、台座に設けられ、自身の回転軸線を回ることができるが、前記調節ツマミは、自身の回転軸線を回る自由度、及びその回転軸線に沿って並進する自由度を有しており、前記調節ツマミは第一リングギアと第二リングギアがあり、前記端蓋は第三リングギアがあり、前記第一リングギアとトランスミッションギアのストレートベベルギアと噛み合って、前記第二リングギアと端蓋の第三リングギアストレートベベルギアと噛み合っており、前記端蓋は台座に設けられており、前記リセットバネは、前記調節ツマミにつながり、調節ツマミの回転軸線方向で、調節ツマミをリセットする。
【０００５】
前記台座は組立柱があり、トランスミッションギアはその回転軸線方向に沿い、組立孔を通っており、前記組立柱は前記組立孔に入り、前記リセットバネは、前記組立孔に入れられ、前記組立柱に嵌める。
【０００６】
前記組立孔は階段面があり、前記リセットバネの両側は、それぞれ前記階段面と前記調節ツマミに突っ張る。
【０００７】
前記調節ツマミは、内周壁と外周壁が設けられており、前記第一リングギアは前記内周壁の内リングギアに、前記第二リングギアは前記外周壁の外リングギアに設けられており、前記端蓋は貫通孔があり、第三リングギアは前記貫通孔の孔壁に設けられている。
【０００８】
前記調節ツマミは更に突起があり、前記凸起は、調節ツマミの回転軸線方向に、端蓋の貫通孔より突出する。
【０００９】
前記頭マッサージ器は、ヘルメットとマッサージ装置が設けられており、ヘルメットは第一縦向き筐体、第二縦向き筐体、第一横向き筐体、第二横向き筐体、縦向きに設けられた二距離調節装置及び横向きに設けられた一距離調節装置が設けられており、前記横向き筐体は、前記縦向き筐体に設けられており、各距離調節装置は、台座、トランスミッションギア、調節ツマミ、端蓋及びリセットバネが設けられており、前記トランスミッションギアは、台座に設けられ、自身の回転軸線を回ることができるが、前記調節ツマミは、自身の回転軸線を回る自由度、及びその回転軸線に沿って並進する自由度を有しており、前記調節ツマミは第一リングギアと第二リングギアがあり、前記端蓋は第三リングギアがあり、前記第一リングギアとトランスミッションギアのストレートベベルギアと噛み合って、前記第二リングギアと端蓋の第三リングギアストレートベベルギアと噛み合っており、前記端蓋は台座に設けられおり、前記リセットバネは、前記調節ツマミにつながり、調節ツマミの回転軸線方向で、調節ツマミをリセットし、第一、第二縦向き筐体の両側は、いずれも縦向きギアラックがあり、前記縦向きギアラックは、いずれも対応する距離調節装置のトランスミッションギアと噛み合っており、第一、第二横向き筐体の片側は、対応する距離調節装置の台座又は端蓋に固定され、他方側はいずれも横向きギアラックを持っており、各横向きギアラックは対応する距離調節装置のトランスミッションギアと噛み合う。
【００１０】
前記第一、第二縦向き筐体の両側には、いずれも縦向き調節槽が設けられており、縦向きギアラックは、縦向き調節槽の縦向きに沿い伸びた槽壁に形成され、第一、第二横向き筐体の片側に横向き調節槽があり、横向きギアラックは、前記横向き調節槽の横向きに沿い伸びた槽壁に形成される。
【００１１】
前記台座に組立柱があり、トランスミッションギアはその回転軸線方向に沿い、組立孔を通っており、前記組立柱は前記組立孔に入り、前記組立孔は階段面があり、前記リセットバネは、前記組立孔に入れられ、そして、前記リセットバネの両側は、それぞれ前記階段面と前記調節ツマミに突っ張る。
【００１２】
前記各距離調節装置の端蓋と台座との間に、対応する筐体がそれぞれ両側から入るようと供するための二開き口が形成される。
【００１３】
前記調節ツマミは、内周壁と外周壁が設けられており、前記第一リングギアは前記内周壁の内リングギアに、前記第二リングギアは前記外周壁の外リングギアに設けられており、前記端蓋は貫通孔があり、第三リングギアは前記貫通孔の孔壁に設けられている。
【００１４】
前記マッサージ装置は、マッサージ板、マッサージガスバッグ、ガスポンプ、電気バルブ及び電子回路制御用の制御装置が設けられており、マッサージガスバッグとガスポンプと電気バルブが接続し、前記ガスポンプと電気バルブと電子回路制御が接続している。前記縦向き筐体、横向き筐体の内表面は、何れも最低は一マッサージ板があり、前記マッサージ板の縁は、ヘルメットの内表面に固定され、前記マッサージ板の変形可能な中間部、及びヘルメットの内表面との間に一収納キャビィティが形成され、マッサージガスバッグは前記収納キャビィティ内に設けられる。
【００１５】
前記マッサージ板の表面には、電子制御回路に接続する発熱体が付着される。
【００１６】
前記マッサージ板は更に入れ槽があり、前記入れ槽内に振動モータが固定され、前記振動モータのモータシャフト上の偏心に振動ブロックが設けられる。
【００１７】
前記マッサージ板は、基板及び前記基板に突出したマッサージコンタクトヘッドからなるものであり、前記基板の縁は、ヘルメットの内表面に固定され、その中間部は変形可能である。
【００１８】
前記制御装置は、ヘルメットから分離して設けられた制御ボックスがあり、ガスポンプと電気バルブは、何れも前記制御ボックス内に設けられる。
【発明の効果】
【００１９】
本発明の効果は、距離調節部品の設置により、第一、第二縦向き筐体又は第一、第二横向き筐体の相対距離を遠くなったり、近くなったりするようにして、ユーザの頭の形に応じて、ヘルメットのサイズ調整が実現される。また、マッサージガスバッグへのガス注入やガス排出により、変形可能なマッサージ板がつっぱったり縮んだりするようになり、頭に対するマッサージが行われるようになり、そのうえ、部品が少ないため、構造が簡単である。  
【発明を実施するための最良の形態】
【００２０】
図１〜図１０に示すように、本発明である頭マッサージ器のヘルメットは、頭に沿って縦向きに設けられたカーブ形第一、第二縦向き筐体１１、１２、及び頭に沿って横向きに設けられたカーブ形第一、第二横向き筐体２１、２２が設けられており、前記第一縦向き筐体１１と第二縦向き筐体１２とを組み合わせて、頭を被るための縦向きリング状筐体となり、前記第一横向き筐体２１と第二横向き筐体２２を組み合わせて、頭を被るための半円形カーブ状筐体となり、前記第一、第二筐体２１、２２は、比較的に靭性がよいプラスチック材料で作られたものであり、前記第一、第二筐体２１、２２は、適当に曲げるようになり、第一、第二縦向き筐体１１、１２の両側は、縦向き調節槽１３があり、各縦向き調節槽１３の縦向き沿いに伸びた槽壁に、ぎざぎざの切り込みが並んで、縦向きギアラック１４が形成されており、前記第一、第二横向き筐体２１、２２の片側は横向き調節槽があり、各横向き調節槽の横向き沿いに伸びた槽壁に、ぎざぎざの切り込みが並んで、横向きギアラックが形成される。
【００２１】
第一、第二縦向き筐体１１、１２は、縦向きに設けられた二距離調節装置３を通って組み合わされており、前記第一、第二横向き筐体２１、２２は、横向きに設けられた一距離調節装置３を通って組み合わされており、各距離調節装置３は、台座３１、トランスミッションギア３２、リセットバネ３３、調節ツマミ３４及び端蓋３５が設けられており、前記台座３１の中央に、縦向きに伸びた組立柱３１１があり、前記トランスミッションギア３２はストレートベベルギアだが、第一端面３２１、第二端面３２２及び前記第一、第二端面３２１、３２２の間に均等に放射状分布したギア歯３２３を有しており、前記トランスミッションギア３２的の中央に、更に第一、第二端面３２１、３２２を貫通した組立孔３２７があり、前記組立孔３２７は階段状孔であり、同軸線の孔形の小いちい第一組立孔３２４及び孔径が大きい第二組立孔３２５からなるものであり、また、前記第一、第二組立孔３２４、３２５の重ねた箇所に階段面３２６が形成されており、前記リセットバネ３３は既存のスプリングのように調節ツマミ３４のリセットに使われるものであり、前記調節ツマミ３４は内周壁３４１と外周壁３４３があり、内周壁３４１にリング内ギア歯があり、前記リング内ギア歯で第一リングギア３４２が形成され、外周壁３４３はリング外ギア歯があり、前記リング外ギア歯で第二リングギア３４４が形成されるようになり、そのうえ、前記調節ツマミの端面に、マニュアルで簡単に回せるように取手用の凸起３４５があり、前記端蓋３５は縦向きに貫通した貫通孔３５１があり、前記貫通孔３５１の孔壁にリング内ギア歯があり、前記リング内ギア歯によって第三リングギア３５２が形成される。
【００２２】
前記距離調節装置３を組み合わせるとき、トランスミッションギア３２を縦向きに台座の組立柱３１１に嵌めて、前記組立柱３１１は、縦向き沿いにトランスミッションギアの第一組立孔３２４を通ってから、第二組立孔３２５に入る。次は、リセットバネ３３を第二組立孔３２５に入れて、組立柱３１１に嵌める。更に、調節ツマミ３４の第一リングギア３４２とトランスミッションギア３２のストレートベベルギアが噛み合って、調節ツマミ３４がトランスミッションギア３２に設けられるようになり、リセットバネ３３の両側は、それぞれ組立孔の階段面３２６と調節ツマミ３４に突っ張る。最後は、締め部品で端蓋３５を台座３１に固定させて、調節ツマミ３４の第二リングギア３４４と端蓋３５の第三リングギア３５２ストレートベベルギアとが噛み合って、そして、調節ツマミ３４の凸起３４５の縦向きにある端蓋３５に突出した貫通孔３５１によって、前記端蓋３５と台座３１との間に腔体３６が形成されるようになり、前記腔体３６は第一開き口３６１と第二開き口３６２がある。
【００２３】
前記頭マッサージ器のヘルメットは、第一縦向き筐体１１の片側、第二縦向き筐体１２の片側は、それぞれ左、右の両側から縦向きに設けられた距離調節装置の第一、第二開き口３６１、３６２に入ると同時に、前記距離調節装置３のトランスミッションギア３２は第一、第二縦向き筐体の縦向き調節槽１３に入り込んで、縦向きギアラック１４と噛み合うようになり、また、前記第一、第二縦向き筐体１１、１２の縦向きギアラック１４は、それぞれ前記トランスミッションギアの回転軸線の両側にあり、それにより、前記第一、第二縦向き筐体１１、１２は相対運動が生じて、第一縦向き筐体の他方側と第二縦向き筐体の他方側は、それぞれもう一つの縦向きに設けられた距離調節装置に入っており、第一、第二横向き筐体２１、２２の片側は、それぞれ二縦向き距離調節装置の台座に固定され、他方側は横向きに設けられた距離調節装置に固定される。
【００２４】
第一、第二縦向き筐体１１、１２のギャップを調節するとき、縦向き距離調節装置の調節ツマミ３４を押すようにし、押している間に、調節ツマミ３４の第一リングギア３４２は、トランスミッションギア３２のギア歯３２３に張り合わせながら移動し、第二リングギア３４４が第三リングギア３５２から離れたところまで移動したとき、時計回りか逆時計回りで調節ツマミ３４を回して、調節ツマミ３４でトランスミッションギア３２を回して、トランスミッションギア３２で第一、第二縦向き筐体１１、１２を、内向き又は外向きの相対運動を行わせるようにして、縦向き距離の調節が実現される。その間、リセットバネ３３が圧迫されるが、希望位置に調節してから、調節ツマミ３４を緩めて、リセットバネ３３が元の形に戻り、調節ツマミ３４を突き出して、調節ツマミ３４の第二リングギア３４４が再度、端蓋の第三リングギア３５２と噛み合って、調節ツマミ３４が締められるようになり、第一、第二横向き筐体の距離調節は、上述のようになる。
【００２５】
本実施形態において、トランスミッションギア３２は、台座３１に設けられ、自身の回転軸線を回ることができるが、調節ツマミ３４は、自身の回転軸線を回る自由度、及びその回転軸線に沿って並進する自由度を有しており、調節ツマミ３４が押されたとき、前記調節ツマミ３４は、自身の回転軸線方向に台座３１へ移動するが、調節ツマミ３４が緩められたとき、前記調節ツマミ３４は、リセットバネ３３の弾力により、自身の回転軸線方向にはねてリセットされるが、前記調節ツマミ３４は、スペースを緩めて調節するものであり、スペースを引き締めたとき、調節ツマミの第一リングギア３４２とトランスミッションギア３２ストレートベベルギアが噛み合って、調節ツマミの第二リングギア３４４と端蓋の第三リングギア３５２ストレートベベルギアが噛み合う。位置を調節したとき、調節ツマミの第一リングギア３４２とトランスミッションギア３２ストレートベベルギアが噛み合って、調節ツマミの第二リングギア３４４と端蓋の第三リングギア３５２がわかれる。
【００２６】
本実施形態において、トランスミッションギア３２の回転軸線と調節ツマミ３４の回転軸線は重ねあい、第一、第二、第三リングギア３４２、３４４、３５２の同軸線及び前記軸線とトランスミッションギアの回転軸線が重ねあっているが、もちろん、前記トランスミッションギアの回転軸線は、調節ツマミの回転軸線と平行して、一定の偏心距離を持つことができる。
【００２７】
図１１〜図２５に示すように、本発明の頭マッサージ器は、独立に設置されたヘルメット１０及び制御装置２０があり、前記ヘルメット１０は縦向きのリング状筐体１０１と横向きの細長いカーブ形筐体１０２からなるものであり、前記横向き筐体１０２の両側は、縦向き筐体１０１に設けられ、そして、前記縦向き筐体１０１と横向き筐体１０２は、人の頭の大きさを収納するための頭円周空間１０３が形成されるが、前記縦向き筐体１０１と横向き筐体１０２は、いずれも空腔の筐体構造を持っており、前記縦向き筐体１０１が人の頭８０に向かう内表面１０１１（即ち、頭に向かう筐体表面）には、第一、第二、第三と第四マッサージ板３０、４０、５０、６０が設けられ、前記横向き筐体１０２が人の頭に向かう内表面１０２１には、第五マッサージ板７０が設けられており、各マッサージ板が人の頭にある特定なツボＡに対応している。
【００２８】
各マッサージ板３０、４０、５０、６０、７０は、すべてシリコン材による基板３０１、４０１、５０１、６０１、７０１、及びシリコン材によるマッサージコンタクトヘッド３０２、４０２、５０２、６０２、７０２からなるものであり、前記基板は弾力があり、その縁が在筐体の内表面に粘着剤で固定されており、その中間部は力を受けたとき、盛り上がって変形するが、前記マッサージコンタクトヘッドは、前記基板に突出するものであり、頭のツボにマッサージを行うもの（前記マッサージコンタクトヘッドと基板とが一体化するのも可能）であり、各基板の中間部はいずれも対応する筐体の内表面との間に収納キャビィティ３０３、４０３、５０３、６０３、７０３が形成され、また、各収納キャビィティ内にいずれもマッサージガスバッグ９０１、９０２、９０３、９０４、９０５があり、各マッサージガスバッグはいずれも扁平状であり、そのガスキャップが筐体の空腔内に伸ばされており、各マッサージコンタクトヘッド３０２、４０２、５０２、６０２、７０２の表面に片状発熱体３００が付着しており、前記発熱体３００は、マッサージコンタクトヘッドの表面にある凹み槽内に設けてもよいし、前記マッサージコンタクトヘッドの表面に直接に粘着してもよいが、前記制御装置２０は、制御ボックス２０１及び前記制御ボックス内に設けられた電子回路制御用の電子回路板があり、本実施形態の中に、前記収納キャビィティは、筐体に向かうマッサージ板の基板の内表面に設けられる。
【００２９】
頭のツボに対する求められるマッサージ力の強さが異なるため、第一、第二、第三と第五マッサージ板（各マッサージコンタクトヘッドの高さが異なる）にマッサージガスバッグと発熱体が設けられており、第四マッサージ板に対しては、前記マッサージ板６０に複数のマッサージガスバッグ６０８、６０９が設けられる。前記マッサージ板６０にはまた入れ槽６０５があり、振動モータ８００が前記入れ槽６０５内に設けられ、そして、前記振動モータ８００のモータシャフトにある偏心に振動ブロック８０１があり、振動モータの作動中に、マッサージコンタクトヘッドによって振動マッサージの作用が行われる。そのうえ、前記第四マッサージ板６０に発熱体への電源リード線３００１、及び振動モータ８００への電源リード線ワイヤのワイヤリング槽６０４が設けられており、各リード線がワイヤリング槽と筐体を通ってから、制御ボックス内の電子回路板へと接続する。
【００３０】
前記第一、第四マッサージガスバッグ９０１、９０４のガスキャップ９０１１、９０４１は、それぞれガスパイプ１０４を通って、第一三通管１０５の二ポートへと接続し、前記第一三通管１０５のもう一つのポートは、ガスパイプを通ってから、第一電磁バルブ１０６へと接続し、前記第二、第三マッサージガスバッグ９０２、９０３のガスキャップ９０２１、９０３１は、それぞれ第二三通管１０７の二ポートに接続し、前記第二三通管１０７のもう一つのポート、及び第五マッサージガスバッグ９０５のガスキャップ９０５１は、それぞれガスパイプと第三三通管１０８の二ポートに接続し、前記第三三通管１０８のもう一つのポートは、第二電磁バルブ１０９と接続し、前記第一、第二電磁バルブ１０６、１０９とガスポンプ２００は、それぞれ第四三通管２０２の三ポートと接続し、前記第一電磁バルブ１０６、第二電磁バルブ１０９とガスポンプ２０３は、いずれも制御ボックス２０内にも設けられているため、ヘルメット部分の重さを有効に低減し、振動時のノズルがユーザへのマイナス影響も低減される。
【００３１】
前記頭マッサージ器の作動原理は次のようになるが、ガスポンプと第一、第二電磁バルブのスイッチへの制御により、マッサージガスバッグへのガス注入やガス排出ができるようになり、ガスバッグにガスが注入されたとき、基板の中間部が柔軟的に変形するので、マッサージ板がつっぱりだされるようになる。ガスバッグにガスが排出されたとき、基板の中間部が元の形に戻るので、マッサージ板が縮んで戻るようになるので、頭のツボへの気圧マッサージが実現される。制振動モータを作動させたとき、マッサージコンタクトヘッドによって、頭のツボへの振動マッサージが行われ、発熱体を作動させたとき、頭のツボへの加熱マッサージが行われるようになるが、様々な制御方法により交代して使用することができるため、前記頭マッサージ器は多様なマッサージ方法がある。
【００３２】
以上の内容は、好適な実施の形態により、本発明をより詳しく説明したものであり、本発明の実施形態はそれらの説明に制限されないものであり、また、当該技術分野に属する人が、本発明のコンセプトに基づいて、何からの変更、改造をして作られたものは、すべて本発明の登録請求の範囲内にする。
【図面の簡単な説明】
【００３３】
【図１】本実施形態における頭マッサージ器ヘルメットに対する二角度からの立体分解図
【図２】本実施形態における頭マッサージ器ヘルメットに対する二角度からの立体分解図
【図３】本実施形態の頭マッサージ器ヘルメットの構造イメージ図
【図４】図３のＡ−Ａ方向沿い及びＢ−Ｂ方向沿いの断面図
【図５】図３のＢ−Ｂ方向沿いの断面図
【図６】本実施形態における距離調節装置の端蓋に対する二角度からの立体図
【図７】本実施形態における距離調節装置の端蓋に対する二角度からの立体図
【図８】本実施形態における距離調節装置の調節ツマミに対する二角度からの立体図
【図９】本実施形態における距離調節装置の調節ツマミに対する二角度からの立体図
【図１０】本実施形態における距離調節装置のトランスミッションギアの立体図
【図１１】本発明の頭マッサージ器が頭に被られるときの構造イメージ図
【図１２】側面からみた各マッサージガスバッグのイメージ図
【図１３】後方からみた各マッサージガスバッグのイメージ図
【図１４】正面からみた各マッサージガスバッグのイメージ図
【図１５】第一筐体に設けられた第一マッサージ板、第一マッサージガスバッグと発熱体との構造イメージ図
【図１６】第一筐体に設けられた第二マッサージ板、第二マッサージガスバッグと発熱体との構造イメージ図
【図１７】第一筐体に設けられた第三マッサージ板、第三マッサージガスバッグと発熱体との構造イメージ図
【図１８】第一筐体に設けられた第四マッサージ板、第四マッサージガスバッグ、発熱体と振動モータとの構造イメージ図
【図１９】第二筐体に設けられた第五マッサージ板、第五マッサージガスバッグと発熱体との構造イメージ図
【図２０】本発明における頭マッサージ器の電気回路制御原理図
【図２１】本発明の頭マッサージ器の立体構造図
【図２２】本発明ヘルメットの一部立体分解図
【図２３】本発明のヘルメットが頭に合わせた正面の構造イメージ図
【図２４】本発明のヘルメットが頭に合わせた側面の構造イメージ図
【図２５】本発明のヘルメットが頭に合わせた後方の構造イメージ図
【符号の説明】
【００３４】
１０        ヘルメット
１０１      縦向き筐体
１０２      横向き筐体
１０３      頭円周空間
１０４      ガスパイプ
１０５      第一三通管
１０６      第一電磁バルブ
１０７      第二三通管
１０８      第三三通管
１０９      第二電磁バルブ
１０１１    内表面
１０２１    内表面
１１        第一縦向き筐体
１２        第二縦向き筐体
１３        縦向き調節槽
１４        縦向きギアラック
２０        制御装置
２００      ガスポンプ
２０１      制御ボックス
２０２      第四三通管
２０３      ガスポンプ
２１        第一横向き筐体
２２        第二横向き筐体
３          距離調節装置
３０        第一マッサージ板
３００      片状発熱体
３００１    電源リード線
３０１      基板
３０２      マッサージコンタクトヘッド
３０３      収納キャビィティ
３１        台座
３１１      組立柱
３２        トランスミッションギア
３２１      第一端面
３２２      第二端面
３２３      ギア歯
３２４      第一組立孔
３２５      第二組立孔
３２６      階段面
３２７      組立孔
３３        リセットバネ
３４        調節ツマミ
３４１      内周壁
３４２      第一リングギア
３４３      外周壁
３４４      第二リングギア
３４５      凸起
３５        端蓋
３５１      貫通孔
３５２      第三リングギア
３６        腔体
３６１      第一開き口
３６２      第二開き口
４０        第二マッサージ板
４０１      基板
４０２      マッサージコンタクトヘッド
４０３      収納キャビィティ
５０        第三マッサージ板
５０１      基板
５０２      マッサージコンタクトヘッド
５０３      収納キャビィティ
６０        第四マッサージ板
６０１      基板
６０２      マッサージコンタクトヘッド
６０３      収納キャビィティ
６０４      ワイヤリング槽
６０５      入れ槽
６０８      マッサージガスバッグ
６０９      マッサージガスバッグ
７０        第五マッサージ板
７０１      基板
７０２      マッサージコンタクトヘッド
７０３      収納キャビィティ
８０        人の頭
８００      振動モーター
８０１      振動ブロック
９０１      マッサージガスバッグ
９０１１    ガスキャップ
９０２      マッサージガスバッグ
９０２１    ガスキャップ
９０３      マッサージガスバッグ
９０３１    ガスキャップ
９０４      マッサージガスバッグ
９０４１    ガスキャップ
９０５      マッサージガスバッグ
９０５１    ガスキャップ
Ａ          特定なツボ
【図１】
2008126058.tif 000003
【図２】
2008126058.tif 000004
【図３】
2008126058.tif 000005
【図４】
2008126058.tif 000006
【図５】
2008126058.tif 000007
【図６】
2008126058.tif 000008
【図７】
2008126058.tif 000009
【図８】
2008126058.tif 000010
【図９】
2008126058.tif 000011
【図１０】
2008126058.tif 000012
【図１１】
2008126058.tif 000013
【図１２】
2008126058.tif 000014
【図１３】
2008126058.tif 000015
【図１４】
2008126058.tif 000016
【図１５】
2008126058.tif 000017
【図１６】
2008126058.tif 000018
【図１７】
2008126058.tif 000019
【図１８】
2008126058.tif 000020
【図１９】
2008126058.tif 000021
【図２０】
2008126058.tif 000022
【図２１】
2008126058.tif 000023
【図２２】
2008126058.tif 000024
【図２３】
2008126058.tif 000025
【図２４】
2008126058.tif 000026
【図２５】
2008126058.tif 000027